(57)【要約】【課題】パーソナルコンピュータなどを介することなく、写真画像を印刷装置に送信することで印刷する撮像装置において、印刷対象とする画像の選択を容易に行うことができる撮像装置を得る。【解決手段】被写体を表す光学像を撮像手段にて電気信号に変換して生成した画像データを画像ファイルとして記録する記憶手段と、外部装置と接続するインターフェースと、画像ファイルに情報を付加する手段とを有し、画像ファイルの印刷を行う際、情報が付加されている画像ファイルのみを印刷装置へ印刷要求する手段を有する撮像装置。【選択図】図１
2006311484.tif 000002
【特許請求の範囲】
【請求項１】
被写体を表す光学像を撮像手段にて電気信号に変換して生成した画像データを画像ファイルとして記録する記憶手段と、
外部装置と接続するインターフェースと、
上記画像ファイルに情報を付加する情報付加手段とを有する撮像装置であって、
上記画像ファイルの印刷を行う際、前記情報付加手段により情報が付加された画像ファイルのみを印刷装置へ印刷要求する手段を有することを特徴とする撮像装置。
【請求項２】
指定した情報が前記情報付加手段により付加された情報に含まれている画像ファイルのみを印刷装置へ印刷要求することを特徴とする請求項１記載の撮像装置。
【請求項３】
指定した情報が前記情報付加手段により付加された情報に含まれている画像ファイルのみを対象に印刷要求するか否かを指定することができる手段を有することを特徴とする請求項１もしくは２記載の撮像装置。
【請求項４】
撮像した被写体を表す光学像を電気信号に変換して画像データを生成し、生成した画像データを画像ファイルとして記録する記憶ステップと、
通信インターフェースによって外部装置と接続して通信するステップと、
上記画像ファイルに情報を付加する情報付加ステップとを有する撮像方法であって、
上記画像ファイルの印刷を行う際、前記情報付加ステップにより情報が付加された画像ファイルのみを印刷装置へ印刷要求するステップを有することを特徴とする撮像方法。
【請求項５】
指定した情報が前記情報付加ステップにより付加された情報に含まれている画像ファイルのみを対象に印刷装置へ印刷要求することを特徴とする請求項４記載の撮像方法。
【請求項６】
指定した情報が前記情報付加ステップにより付加された情報に含まれている画像ファイルのみを対象に印刷要求するか否かを指定することができることを特徴とする請求項４もしくは５記載の撮像方法。
【発明の詳細な説明】
【技術分野】
【０００１】
本発明は、撮影した写真画像を、パーソナルコンピュータなどを介することなく、印刷装置に送信することで印刷することが出来る撮像装置および撮像方法に関するもので、特に、印刷対象とする画像の選択を容易に行うことができる撮像装置および撮像方法に関するものである。
【背景技術】
【０００２】
撮像手段で撮影した写真画像をデジタル信号に変換し、不揮発性記憶媒体などの記憶装置に記録する撮像装置としてデジタルカメラが一般的である。従来、デジタルカメラで撮影した写真画像の印刷は、当該写真画像のデータ（画像ファイル）をパーソナルコンピュータ等情報処理装置に移動し、写真画像処理用アプリケーションプログラム等を用いて、印刷装置（プリンター）の制御を含む処理と共に行っていた。近年、より容易に写真画像を印刷するために、デジタルカメラとプリンターを直接接続し、デジタルカメラに記憶している写真画像情報をプリンターへ直接送信して印刷することができるダイレクトプリント機能が普及してきている。
【０００３】
上記の撮像装置を用いて撮影した写真画像と、その写真画像に関連する付加的な情報（例えば撮影日付）を合成して印刷する場合、印刷対象とする写真画像の選択時に付加的な情報を合わせて印刷するかしないかの選択を行っていた。また、出力様式（用紙サイズなど）によって上記付加的な情報が適切に印刷できる印刷書式（印刷パターン）は多岐に渡るため、適切な選択をより容易に行えるようにする発明が知られている（例えば特許文献１参照）。
【０００４】
【特許文献１】特開平１１−８８８１５号公報
【０００５】
特許文献１記載の発明は、印刷対象とする写真画像の選択を、撮像装置が有する表示装置上に縮小表示した画像によって視認して行うように構成したものである。このため、付加的な情報の印刷諾否の設定を適切に行うためには多くの選択工程を必要とし、印刷をしたい写真画像のみを手軽に選択して印刷処理をすることが困難であった。
【発明の開示】
【発明が解決しようとする課題】
【０００６】
本発明は上記問題を鑑みてなされたものであって、撮影した写真画像に情報を付加して、印刷時に付加した情報によって該当する写真画像の選択を容易に行うことができる撮像装置を提供することを目的とする。
【課題を解決するための手段】
【０００７】
本発明は、被写体を表す光学像を撮像手段にて電気信号に変換して生成した画像データを画像ファイルとして記録する記憶手段と、外部装置と接続するインターフェースと、上記画像ファイルに情報を付加する手段とを有する撮像装置であって、上記画像ファイルの印刷を行う際、情報が付加されている画像ファイルのみを印刷装置へ印刷要求することを最も主要な特徴とする。
【０００８】
上記付加した情報が指定した情報に該当する画像ファイルのみを印刷装置へ印刷要求するようにしてもよい。また、上記撮像装置は、情報が付加されている画像ファイルのみを印刷要求するか否かを指定できるようにしても良い。
【発明の効果】
【０００９】
本発明によれば、印刷処理において、情報が付加されている画像ファイルのみの印刷処理を自動的に行うので、簡単に全ての情報付き画像ファイル印刷を行うことができる。また、本発明によれば、情報付き画像ファイルの中から、指定した情報を有するものを抽出して印刷処理を行うことが容易にできる。
【発明を実施するための最良の形態】
【００１０】
以下、本発明の実施形態について図を用いて説明する。図１は本発明に係る撮像装置の例を示す機能ブロック図である。
【００１１】
図１において、デジタルカメラ１は、情報を記憶する外部記憶部１１と、ＣＣＤやＡＤ変換器など画像情報の入力部である撮像部１２と、撮像操作に関する各種情報や撮影画像設定に関する各種情報を表示する表示部１３と、外部からの操作入力を行う操作卓部１４と、プリンター２との通信インターフェースを制御する通信Ｉ／Ｆ部１５と、デジタルカメラ全体を制御する全体制御部１０とを有する。
【００１２】
上記外部記憶部１１は、フラッシュメモリなどに代表される記録媒体と、この記録媒体への情報の書き込み、読出しを制御するドライバ部を含むものである。また、全体制御部１０は、ＣＰＵ／ＲＯＭ／ＲＡＭ／入出力ポート（Ｉ／Ｏポート）及びこれらを結ぶバスラインなどで構成される周知のマイクロコンピュータである。
【００１３】
通信Ｉ／Ｆ部１５は通信手段３を介してプリンター２と通信可能に接続している。通信手段３は有線・無線を問わず使用可能である。有線の具体例はＵＳＢ（Universal  Serial  Bus）である。また、無線の具体例はBluetooth、Ｗｉ−ｆｉ（無線ＬＡＮ規格）、ＩｒＤＡ（赤外線通信）などの近距離無線通信方式である。当該通信手段は一般的にはＵＳＢが普及している。
【００１４】
上記ＲＯＭは、ＣＰＵの処理手順（プログラム）を記憶している半導体メモリであって、このＲＯＭに記憶しているプログラムによって本発明は実現される。また、ＲＡＭは上記プログラムを実行する際にＣＰＵが使用するワークエリアとしての機能の他に、プリンター２との通信時にバッファメモリとしても機能する。
【実施例１】
【００１５】
本発明にかかる撮像装置の印刷処理の実施形態について説明する。先ず、撮像装置の外部記憶部１１に記憶する画像ファイルの構造について図２を用いて説明する。
【００１６】
図２は、画像ファイルの構造を模式的に表す図である。図２において画像ファイル２００は、画像データ部２０３とヘッダー部分である画像情報部２０２によって構成される。画像データ部２０３には撮影した写真画像が格納され、画像情報部２０２には、上記写真画像に関する情報が格納される。この格納される情報は、所定の規格によって規定される情報種別のほかに、各メーカーが独自に規定する情報種別がある。画像情報部２０２中のメモ情報部２０４に、これらのメーカー独自の情報が格納される。本発明では、メモ情報部２０４に格納された情報を付加情報と称する。また、画像情報部２０２の先頭位置には、当該画像ファイルに付加情報が存在するか否かを示す付加情報存在判定データ２０１が格納される。
【００１７】
上記付加情報存在判定データ２０１を用いて行う付加情報の判定について説明する。例えば、上記付加情報存在判定データ２０１の値が「００」であれば、当該画像ファイル２００に付加情報は存在せず、「００」以外の値であれば、当該画像ファイル２００には付加情報が存在すると規定し、この規定に即したプログラム処理を行うことで、判断処理を行うことが可能となる。
【００１８】
図３は上記メモ情報部２０４に格納されるメーカー独自規定の付加情報の例である。図３において付加情報はリスト形式で表現したテキスト形式で記述される。このテキスト形式は、予め規定した書式に基づくものである。
【００１９】
上記メモ情報部２０４に格納される付加情報は、当該画像ファイルをパーソナルコンピュータに移動し、パーソナルコンピュータ上で専用アプリケーションもしくはテキストエディタを用いて作成・編集してもよい。
【００２０】
また、メモ情報部２０４に格納する付加情報を記述したテキストファイルを外部記憶部１１に、予め規定したファイル名（例えばadd_data.mta）で格納しておき、当該デジタルカメラ１を用いた撮像において、画像データを外部記憶部１１に保存する際に、自動的に、上記テキストファイルの内容をメモ情報部２０４に格納するようにしてもよい。
【００２１】
図３に示した付加情報の例では、「名称テキスト」が/*ITEM*/から/*LIST*/までの間に記載されている。図３の例では、「氏名」、「部署」、「役職」の３つの名称テキストが記載されている。/*LIST*/以下の記載が「内容テキスト」のリストである。図３の例では、#01から#02の間が「氏名」の内容テキストのリストに相当する。
【００２２】
上記説明した付加情報を自動的に格納する為には、デジタルカメラ１において、撮影を行う前に、操作卓部１４を用いて「付加情報あり」の設定を行う必要がある。具体的には、デジタルカメラ１の操作卓部１４の図示しない操作キーを操作して、当該デジタルカメラを「セットアップモード」にし、表示部１３に表示される設定メニューの中から「付加情報あり」を「ＯＮ」にする操作を行う。このように、デジタルカメラ１の設定を「付加情報あり」にしておくと、その後撮影した全ての画像データのメモ情報部２０４に、付加情報が格納されることになる。
【００２３】
また、上記「セットアップモード」において、「選択付加情報あり」の設定を行えば、その後撮影した写真画像を外部記憶部１１に格納する前に、表示部１３に図示しない「付加情報選択」画面を表示し、その画面に表示された付加情報群（上記テキストファイルから読み出す）の中から、選択的に付加情報を指定することができる。
【実施例２】
【００２４】
次に本発明にかかる撮像装置における付加情報付き画像ファイルの一括印刷処理について、図４のフローチャートを用いて説明する。図４において処理の各ステップを（３０１）、（３０２）、・・・のように表す。
【００２５】
この印刷処理を実行する事前にデジタルカメラ１は、通信手段３を介してプリンター２と接続している。
【００２６】
先ず、利用者が操作卓部１４を操作して表示部１３に表示される図示しない「印刷指定画面」の中から「付加情報付き画像ファイル一括印刷（一つずつ）」を選択すると当該印刷処理が開始される。ここで、「付加情報付き画像ファイル一括印刷（一つずつ）」以外を選択すると、当該印刷処理は終了し、選択された印刷処理を開始する（３０１のＮｏ）。
【００２７】
「付加情報付き画像ファイル一括印刷（一つずつ）」が選択されると（３０１のＹｅｓ）、外部記憶部１１に記憶されている画像ファイルの中から、付加情報付きの画像ファイルのみを検索する（３０２）。
【００２８】
上記画像ファイルの検索は、各画像ファイルのヘッダー部分である画像情報部２０２に存在する付加情報存在判定データ２０１の値をチェックすることで実現する。付加情報存在判定データ２０１に所定の値（例えば、前記したように、付加情報存在判定データ２０１が「００」以外の値であれば、当該画像ファイル２００には付加情報が存在すると規定している場合における「００」以外の値）が格納されている画像ファイルのファイル名のみを抽出し、全体制御装置内のＲＡＭに一旦記憶する。
【００２９】
上記の処理によってＲＡＭに記憶された画像ファイルのファイル名を、ＲＡＭから読み出して、印刷要求を生成しプリンターに送信することで、付加情報付き画像ファイルのみの印刷処理を実行する（３０３）。
【００３０】
図８に上記印刷処理において、デジタルカメラ１からプリンターへ送信される印刷要求の例を示す。図８において、印刷要求は、この情報が印刷要求であることを示す情報識別子８１、印刷対象の付加情報付き画像ファイルのファイル名を示すファイル識別子８２と、当該画像ファイルのファイル名８３によって構成されている。この印刷要求を受け取ったプリンターは、印刷要求に記述されている画像ファイルの送信をデジタルカメラ１に要求し、デジタルカメラ１は要求された画像ファイルをプリンター２に送信する。
【００３１】
上記印刷要求による印刷処理の結果を、デジタルカメラ１はプリンター２から受信し（３０４）、受信した印刷結果がエラーであれば、印刷処理は終了（３０４のＮｏ）する。受信した印刷結果が正常終了であれば（３０４のＹＥＳ）、外部記憶部１１に格納されている印刷対象となった全ての付加情報付き画像ファイルの印刷処理が終了するまで上記３０２にもどって処理を継続する（３０５）。
【実施例３】
【００３２】
次に本発明に係る撮像装置における付加情報付き画像ファイルの一括印刷処理の別の例について、図５のフローチャートを用いて説明する。図５において処理の各ステップを（３５１）、（３５２）、・・・のように表す
【００３３】
この印刷処理を実行する事前にデジタルカメラ１は、通信手段３を介してプリンター２と接続している。
【００３４】
先ず、利用者が操作卓部１４を操作して表示部１３に表示される図示しない「印刷指定画面」の中から「付加情報付き画像ファイル一括印刷（まとめて）」を選択すると当該印刷処理が開始される。ここで、「付加情報付き画像ファイル一括印刷（まとめて）」以外を選択すると、当該印刷処理は終了し、選択された印刷処理を開始する（３５１のＮｏ）。
【００３５】
「付加情報付き画像ファイル一括印刷（まとめて）」が選択されると（３５１のＹｅｓ）、外部記憶部１１に記憶されている画像ファイルの中から、付加情報付きの画像ファイルのみを検索する（３５２）。
【００３６】
上記画像ファイルの検索は、各画像ファイルのヘッダー部分である画像情報部２０２に存在する付加情報存在判定データ２０１の値をチェックすることで行う。付加情報存在判定データ２０１に所定の値（例えば、前記したように、付加情報存在判定データ２０１が「００」以外の値であれば、当該画像ファイル２００には付加情報が存在すると規定している場合における「００」以外の値）が格納されている画像ファイルのファイル名のみを抽出し、全体制御装置内のＲＡＭに一旦記憶する。
【００３７】
上記検索処理によって画像ファイルが検出される都度、そのファイル名称を、図９に示すようなリストテーブルに格納する。上記リストテーブルはＲＡＭ上に作成される（３５３）。
【００３８】
上記検索処理は、外部記憶部１１に記憶されている画像ファイルにおいて、該当する画像ファイルが全て検出されるまで繰り返す。具体的には、全ての画像ファイルが検索済みとなるまでステップ３５２へ戻る（３５４のＮＯ）。外部記憶部１１に記憶されている画像ファイルの全てに対して検索処理が終了すれば次の処理に移行する（３５４のＹＥＳ）。
【００３９】
次に、上記検索処理によってＲＡＭ上に作成されたリストテーブルを元にして、プリンターへの印刷要求を作成する。図１０に示すように、上記処理によるプリンターへの印刷要求に含まれる画像ファイル名は、上記検索処理にて検出した全ての画像ファイル名が記述される。この印刷要求をプリンターに送信する（３５５）。
【００４０】
次に、上記印刷要求による印刷処理の結果をプリンターから受信し（３５６）、受信した印刷結果がエラー（３５７のＮＯ）であれば、当該印刷処理は終了する。受信した印刷結果が正常終了であれば（３５７のＹＥＳ）、上記印刷要求に含まれていた画像ファイルの全ての印刷結果を受信したか判定を行い、全ての画像ファイルの印刷結果を受信していなければ処理はステップ３５６へ移行し、全ての画像ファイルの印刷結果を受信していれば当該印刷処理は終了となる（３５８）。
【実施例４】
【００４１】
次に、本発明に係る撮像装置における付加情報付き画像ファイルの印刷処理の別の例について説明する。図１２は、利用者が印刷する画像ファイルの指定時に表示部１３に表示する画面の例である。図１２（ａ）において画面１２０は、サムネイル１２１が表示されている。付加情報付き画像ファイルに該当するサムネイル１２１は、付加情報マーク１２２が付加されて表示される。利用者が操作卓部１４を操作し画面１２０上に表示されているサムネイル１２１の印刷選択を行うと、図１２（ｂ）に示すように印刷マーク１２３がサムネイル１２１に付加され表示される。このように、利用者が付加情報付き画像ファイルの印刷選択を明示的に行う場合は、表示部１３に表示する画面１２０上に付加情報マーク１２２が付加さている画像を選択すればよい。
【実施例５】
【００４２】
次に、本発明に係る撮像装置における印刷処理の別の実施形態について図６のフローチャートを用いて説明する。図６において処理の各ステップを（４０１）、（４０２）、・・・のように表す。
【００４３】
この印刷処理を実行する事前にデジタルカメラ１は、通信手段３を介してプリンター２と接続している。
【００４４】
先ず、利用者が操作卓部１４を操作して表示部１３に表示される図示しない「印刷指定画面」の中から「付加情報付き画像ファイル文字列指定印刷（一つずつ）」を選択すると当該印刷処理が開始される（４０１のＹｅｓ）。ここで、「付加情報付き画像ファイル文字列指定印刷（一つずつ）」以外を選択すると、当該印刷処理は終了し、選択された印刷処理を開始する（４０１のＮｏ）。
【００４５】
表示部１３に外部記憶部１１に記憶している付加情報を記述したテキストファイルの記述内容を一覧表示する図示しない「文字列指定画面」が表示される。この文字列指定画面において、利用者は操作卓部１４を操作して、検索キーワードを選択する。
【００４６】
本実施例における検索キーワードの指定は上記方法に限らない。例えば、表示部１３に表示される図示しないソフトウェアキーボード画面を用いて、利用者が検索条件とする文字列を入力するようにしてもよい。検索キーワードが指定されると、外部記憶部１１に記憶されている画像ファイルの中から、上記入力された検索条件に合致する画像ファイルのみを検索する（４０２）。
【００４７】
また、外部記憶部１１に格納されている付加情報ファイルに記述されているテキストを、全て読み出して表示部１３に一覧表示し、その一覧表示の中から選択できるように構成してもよい。
【００４８】
上記にようにして、検索条件が指定されると、デジタルカメラ１の外部記憶部１１に記憶されている画像ファイルを検索する（４０２）。
【００４９】
付加情報付き画像ファイルには、そのヘッダー部分である画像情報部２０２に付加情報がテキスト形式で格納されているので、上記検索条件の指定によって指定した文字列のアスキーコードと、付加情報に格納されているアスキーコードが合致すれば、印刷対象の画像ファイルである。上記の処理によってアスキーコードが合致した画像ファイルのファイル名を含めた印刷要求をプリンターに送信する（４０３）。
【００５０】
図８に上記印刷処理において、デジタルカメラ１からプリンターへ送信される印刷要求の例を示す。図８において、印刷要求は、この情報が印刷要求で有ることを示す情報識別子８１、印刷対象の付加情報付き画像ファイルのファイル名を示すファイル識別子８２と、当該画像ファイルのファイル名８３によって構成されている。この印刷要求を受け取ったプリンターは、印刷要求に記述されている画像ファイルをデジタルカメラ１に要求し、デジタルカメラ１は要求された画像ファイルをプリンターに送信する（４０４）。
【００５１】
次に、上記印刷要求による印刷処理の結果をプリンターから受信し（４０５）、受信した印刷結果がエラーであれば、印刷処理は終了（４０５のＮｏ）する。受信した印刷結果が正常終了であれば（４０５のＹｅｓ）、外部記憶部１１に格納されている印刷対象となった全ての付加情報付き画像ファイルの印刷処理が終了するまで上記ステップ４０２にもどって処理を継続する（４０６）。
【実施例６】
【００５２】
次に上記実施例５における検索処理において、検出した画像ファイルを一つずつ印刷処理するではなく、検出した画像ファイルのすべてを一括してプリンターに送信する印刷処理について説明する。図７は、本実施例にかかる印刷処理のフローチャートである。図７において処理の各ステップを（４５１）、（４５２）、・・・のように表す。
【００５３】
この印刷処理を実行する事前にデジタルカメラ１は、通信手段３を介してプリンター２と接続している。
【００５４】
先ず、利用者が操作卓部１４を操作して表示部１３に表示される図示しない「印刷指定画面」の中から「付加情報付き画像ファイル文字列指定印刷（まとめて）」を選択すると当該印刷処理が開始される。ここで、「付加情報付き画像ファイル文字列指定印刷（まとめて）」以外を選択すると、当該印刷処理は終了し、選択された他の印刷処理を開始する（４５１のＮｏ）。
【００５５】
次に、利用者が検索条件を指定する。表示部１３に表示される「文字列指定画面」において、操作卓部１４を操作し、検索条件となる文字列を指定する。指定した検索条件に該当する画像ファイルが存在するか否かを検出するために、上記の処理においてＲＡＭに一時記憶した画像ファイル名に該当する画像ファイルのメモ情報部２０４を上記検索条件によって検索する（４５３）。
【００５６】
この検索処理の結果、ＲＡＭから読み出した画像ファイル名に該当する画像ファイルのメモ情報部２０４には検索条件に合致する情報が存在しなければ（４５３のＮＯ）、処理はステップ４５５に移行する。
【００５７】
この検索処理の結果、ＲＡＭから読み出した画像ファイル名に該当する画像ファイルのメモ情報部２０４に検索条件に合致する情報が存在すれば（４５３のＹＥＳ）、その画像ファイル名をリストテーブルに付加する（４５４）。リストテーブルはＲＡＭ上に生成する。
【００５８】
次に、ＲＡＭ上に存在する画像ファイル名に該当する画像ファイルにおいて、上記検索処理がすべて終了していなければ（４５５のＮＯ）、処理はステップ４５２に移行して上記処理を繰り返す。
【００５９】
上記の処理によって生成されるリストテーブルの例を図９に示す。図９においてリストファイルは検索処理によって検出された画像ファイルのファイル名が直列的に記述さている。このリストファイルに記述されたファイル名を用いて、印刷要求を作成してプリンターへ送信する（４５６）。
【００６０】
次に、上記印刷要求による印刷処理の結果をプリンターから受信し（４５７）、受信した印刷結果がエラーであれば、印刷処理は終了（４５８のＮｏ）する。受信した印刷結果が正常終了であれば（４５８のＹＥＳ）、外部記憶部１１に格納されている印刷対象となった全ての付加情報付き画像ファイルの印刷処理が終了するまで上記ステップ４５７にもどって処理を継続する（４５９）。
【実施例７】
【００６１】
次に、本発明に撮像装置における印刷処理のさらに別の実施形態について図１１のフローチャートを用いて説明する。図１１において処理の各ステップを（５０１）、（５０２）、・・・のように表す。
【００６２】
デジタルカメラ１の電源を投入し、動作を開始する。次に、操作卓部１４を操作してＳＥＴＵＰモードを選択すると、表示部１３にＳＥＴＵＰメニューが表示される（５０１）。
【００６３】
図１３に、表示部１３に表示されるＳＥＴＵＰメニューの画面例を示す。図１３（ａ）において、画面１３０には、設定項目１３１と設定情報１３２が表示され、現在表示されている設定項目１３１の上下にも別の設定項目があることを示すスクロールバー１３３が表示される。利用者は操作卓部１４を操作して、設定を望む設定項目１３１にカーソル１３４を合わせて、図示しない設定ボタンを押下することで、必要な設定を行うことができる。
【００６４】
図１３（ａ）において、「プリントモード」にカーソル１３４を合わせて図示しない設定ボタンを押下すると、図１３（ｂ）に示すように設定選択肢１３５が表示される（５０２）。この設定選択肢１３５において選択した値が「プリントモード」の設定値となる（５０３）。
【００６５】
上記ＳＥＴＵＰメニュー画面において「通常」を選択し、撮像装置をプリンターに接続すると、画像を選択してから印刷する通常モードとして動作する。また、「自動」を選択し撮像装置とプリンターを接続すると、付加情報付き画像ファイル全てを自動で印刷処理を実行する。
【産業上の利用可能性】
【００６６】
本発明は、ＵＳＢ接続でプリンターと接続するカメラ付携帯電話などにも適用できる。
【図面の簡単な説明】
【００６７】
【図１】本発明に係る撮像装置の例であるデジタルカメラの制御系統を示すブロック図である。
【図２】本発明に適用可能な画像データのファイル形式を示す模式図である。
【図３】本発明に適用可能な付加情報の例を示す図である。
【図４】本発明に係る撮像装置を用いて行う印刷処理の例を示すフローチャートである。
【図５】本発明に係る撮像装置を用いて行う印刷処理の別の例を示すフローチャートである。
【図６】本発明に係る撮像装置を用いて行う印刷処理のさらに別の例を示すフローチャートである。
【図７】本発明に係る撮像装置を用いて行う印刷処理のさらに別の例を示すフローチャートである。
【図８】本発明に適用可能なデジタルカメラからプリンターに送信する印刷要求情報ファイルの記述例である。
【図９】本発明に係る撮像装置を用いて行う印刷処理において作成するリストテーブルの例である
【図１０】本発明に適用可能なデジタルカメラからプリンターに送信する印刷要求情報ファイルの他の記述例である。
【図１１】本発明に係る撮像装置を用いて行う印刷処理のさらに別の例を示すフローチャートである。
【図１２】本発明に係る撮像装置の表示装置における画面表示の例を示す説明図である。
【図１３】本発明に係る撮像装置のプリントモード設定画面の表示例である。
【符号の説明】
【００６８】
１  デジタルカメラ
２  プリンター
３  通信手段
１２０  印刷画像選択画面
１３０  プリントモード設定画面
【図１】
2006311484.tif 000003
【図２】
2006311484.tif 000004
【図３】
2006311484.tif 000005
【図４】
2006311484.tif 000006
【図５】
2006311484.tif 000007
【図６】
2006311484.tif 000008
【図７】
2006311484.tif 000009
【図８】
2006311484.tif 000010
【図９】
2006311484.tif 000011
【図１０】
2006311484.tif 000012
【図１１】
2006311484.tif 000013
【図１２】
2006311484.tif 000014
【図１３】
2006311484.tif 000015